(57)【要約】【課題】OFDM受信装置の回路規模の縮小を図る。【解決手段】図４において、OFDMシンボルの下方の図４のＡには、基準となる１回目のDFT演算範囲が示され、図４のＢには、位相補正を行わない場合の２回目のDFT演算範囲が示されている。図４のＢの２回目のDFT演算範囲は、図４のＡの１回目のDFT演算範囲に対してずれｌが生じている。そこで、図４のＣに示されるように、２回目のDFT演算範囲に属するOFDMシンボルのうち、ずれｌの部分のデータDlが、２回目のDFT演算範囲の最後尾に移動された後、DFT演算が行われる。即ち、図４のＤに示されるデータの範囲が、位相補正を行った２回目のDFT演算範囲となる。本発明は、例えばOFDM受信装置に適用可能である。【選択図】図４
2010087748.tif 000002
【特許請求の範囲】
【請求項１】
所定の帯域内の各周波数成分に情報が分割されることにより生成された有効シンボルと、前記有効シンボルの一部の信号波形が複写されることによって生成されたガードインターバルとが含まれた伝送シンボルを伝送単位とする直交周波数分割多重（OFDM：Orthogonal Frequency Division Multiplexing）信号を受信する受信手段と、
前記受信手段により受信された前記OFDM信号における１つの前記伝送シンボルから、有効シンボル期間分の演算範囲を切り出すタイミングを示すスタートフラグを生成し、前記スタートフラグにより切り出される前記演算範囲についての基準演算範囲からのずれを示す位相補正量を生成するタイミング同期手段と、
前記タイミング同期手段により生成された前記スタートフラグに従って、前記受信手段に受信された前記OFDM信号から有効シンボル期間分の前記演算範囲を切り出し、切り出された前記演算範囲のOFDM信号に対して、前記位相補正量に基づいてデータ順序を並び替える処理またはその処理と等価な処理を施して、その後フーリエ変換を施すフーリエ変換手段と
を備える情報処理装置。
【請求項２】
前記フーリエ変換手段は、
前記データ順序を並び替える処理またはその処理と等価な処理として、
前記基準演算範囲の開始位置に対して前記ずれが前方向である場合、前記スタートフラグに従って切り出された前記演算範囲の先頭位置から後方に前記位相補正量分だけ、前記フーリエ変換の開始位置をずらす処理またはその処理と等価な処理を実行し、
前記基準演算範囲の開始位置に対して前記ずれが後方向である場合、前記スタートフラグに従って切り出された前記演算範囲の先頭位置から前方に前記位相補正量分だけ、前記フーリエ変換の開始位置をずらす処理またはその処理と等価な処理を実行する
請求項１に記載の情報処理装置。
【請求項３】
前記タイミング同期手段は、さらに、
前記受信手段に受信された前記OFDM信号を構成する複数の前記伝送シンボルのうち所定の１つを基準シンボルとし、前記基準シンボルのうち前記有効シンボル期間分の任意の範囲を、前記基準演算範囲として設定する
請求項１に記載の情報処理装置。
【請求項４】
前記フーリエ変換手段は、
少なくとも有効シンボル分のOFDM信号が記憶可能なメモリを有し、
前記スタートフラグに従って切り出された前記演算範囲のOFDM信号を前記メモリに記憶させ、
前記データ順序を並び替える処理またはその処理と等価な処理として、前記位相補正量に基づいて前記メモリの読み出しアドレスを生成し、
前記アドレスに従って前記メモリから前記OFDM信号を読み出してフーリエ変換を施す
請求項１に記載の情報処理装置。
【請求項５】
前記フーリエ変換手段は、
前記メモリに記憶された前記演算範囲のOFDM信号について、その演算範囲の先頭位置のアドレス値に対して前記位相補正量分のオフセットを加えて、有効シンボル期間で値の範囲を調整したオフセットアドレスを、前記読み出しアドレスとして生成する
請求項４に記載の情報処理装置。
【請求項６】
所定の帯域内の各周波数成分に情報が分割されることにより生成された有効シンボルと、前記有効シンボルの一部の信号波形が複写されることによって生成されたガードインターバルとが含まれた伝送シンボルを伝送単位とする直交周波数分割多重（OFDM：Orthogonal Frequency Division Multiplexing）信号を受信する情報処理装置が、
受信された前記OFDM信号における１つの前記伝送シンボルから、有効シンボル期間分の演算範囲を切り出すタイミングを示すスタートフラグを生成し、前記スタートフラグにより切り出される前記演算範囲についての基準演算範囲からのずれを示す位相補正量を生成し、
生成された前記スタートフラグに従って、受信された前記OFDM信号から有効シンボル期間分の前記演算範囲を切り出し、切り出された前記演算範囲のOFDM信号に対して、前記位相補正量に基づいてデータ順序を並び替える処理またはその処理と等価な処理を施して、その後フーリエ変換を施す
ステップを含む情報処理方法。
【請求項７】
所定の帯域内の各周波数成分に情報が分割されることにより生成された有効シンボルと、前記有効シンボルの一部の信号波形が複写されることによって生成されたガードインターバルとが含まれた伝送シンボルを伝送単位とする直交周波数分割多重（OFDM：Orthogonal Frequency Division Multiplexing）信号を受信する受信装置を制御するコンピュータに、
受信された前記OFDM信号における１つの前記伝送シンボルから、有効シンボル期間分の演算範囲を切り出すタイミングを示すスタートフラグを生成し、前記スタートフラグにより切り出される前記演算範囲についての基準演算範囲からのずれを示す位相補正量を生成し、
生成された前記スタートフラグに従って、受信された前記OFDM信号から有効シンボル期間分の前記演算範囲を切り出し、切り出された前記演算範囲のOFDM信号に対して、前記位相補正量に基づいてデータ順序を並び替える処理またはその処理と等価な処理を施して、その後フーリエ変換を施す
ステップを含む制御処理を実行させるプログラム。
【請求項８】
所定の帯域内の各周波数成分に情報が分割されることにより生成された有効シンボルと、前記有効シンボルの一部の信号波形が複写されることによって生成されたガードインターバルとが含まれた伝送シンボルを伝送単位とする直交周波数分割多重（OFDM：Orthogonal Frequency Division Multiplexing）信号を受信する受信手段と、
前記受信手段により受信された前記OFDM信号における１つの前記伝送シンボルから、有効シンボル期間分の演算範囲を切り出すタイミングを示すスタートフラグを生成し、前記スタートフラグにより切り出される前記演算範囲についての基準演算範囲からのずれを示す位相補正量を生成するタイミング同期手段と、
前記タイミング同期手段により生成された前記スタートフラグに従って、前記受信手段に受信された前記OFDM信号から有効シンボル期間分の前記演算範囲を切り出し、切り出された前記演算範囲のOFDM信号に対して、前記位相補正量に基づいてデータ順序を並び替える処理またはその処理と等価な処理を施して、その後フーリエ変換を施すフーリエ変換手段と、
前記フーリエ変換手段によりフーリエ変換が施された前記OFDM信号に対応する映像を表示する表示手段と
を備える表示装置。
【発明の詳細な説明】
【技術分野】
【０００１】
本発明は、情報処理装置および方法、表示装置、並びにプログラムに関し、OFDM受信装置の回路規模の縮小を図ることができるようになった、情報処理装置および方法、表示装置、並びにプログラムに関する。
【背景技術】
【０００２】
地上デジタル放送方式の変調として、直交周波数分割多重（OFDM：Orthogonal Frequency Division Multiplexing）方式と称される変調方式が用いられている（例えば特許文献１参照）。
【０００３】
OFDM方式とは、次のような方式をいう。即ち、伝送帯域内に多数の直交する副搬送波(サブキャリア)が設けられる。それぞれのサブキャリアの振幅および位相にデータが割り当てられる。そして、PSK（Phase Shift Keying）やQAM（Quadrature Amplitude Modulation）によりデジタル変調される。このような方式がOFDM方式である。
【０００４】
OFDM方式は、多数のサブキャリアで伝送帯域を分割する。このため、サブキャリア１波あたりの帯域は狭くなり変調速度は遅くなるが、トータルの伝送速度は、従来の変調方式と変わらないという特徴を有している。
【０００５】
OFDM方式は、複数のサブキャリアに対してデータの割り当てが行なわれる。このため、次のような演算回路を用いることにより、送受信回路を構成することができるという特徴を有している。即ち、変調時には逆フーリエ変換を行なうIFFT（Inverse Fast Fourier Transform）演算回路を用いることができる。復調時にはフーリエ変換を行なうFFT（Fast Fourier Transform）演算回路を用いることができる。なお、FFTとは、離散Fourier (discrete Fourier transform,以下ではDFT と略記する)を非常に効率的に計算するためのアルゴリズムのひとつである。
【０００６】
また、OFDM方式は、後述するガードインターバルと称される信号区間を設けることで、マルチパス耐性を向上できる特徴を有している。さらに、後述するパイロット信号を、時間方向や周波数方向に離散的に挿入することにより、同期や伝送路特性の推定に利用することができるという特徴も有している。
【０００７】
このような特徴からOFDM方式は、マルチパス妨害の影響を強く受ける地上デジタル放送に適用されることが多い。OFDM方式を採用した地上デジタル放送としては、例えば、DVB-T（Digital Video Broadcasting-Terrestrial）といった規格がある。また、例えばISDB-T（Integrated Services Digital Broadcasting-Terrestrial）といった規格がある。
【特許文献１】特開２００５−３０３４４０号公報
【発明の開示】
【発明が解決しようとする課題】
【０００８】
しかしながら、OFDM信号に対するDFT演算の開始位置がずれると、DFT後の信号の位相が回転してしまう。このため、従来、FFT演算回路の後に、この回転を補正する回転器が設けられていて、回路規模増大の一因となっていた。
【０００９】
本発明は、このような状況に鑑みてなされたものであり、OFDM受信装置の回路規模の縮小を図ることができるようにするものである。
【課題を解決するための手段】
【００１０】
本発明の一側面の情報処理装置は、所定の帯域内の各周波数成分に情報が分割されることにより生成された有効シンボルと、前記有効シンボルの一部の信号波形が複写されることによって生成されたガードインターバルとが含まれた伝送シンボルを伝送単位とする直交周波数分割多重（OFDM：Orthogonal Frequency Division Multiplexing）信号を受信する受信手段と、前記受信手段により受信された前記OFDM信号における１つの前記伝送シンボルから、有効シンボル期間分の演算範囲を切り出すタイミングを示すスタートフラグを生成し、前記スタートフラグにより切り出される前記演算範囲についての基準演算範囲からのずれを示す位相補正量を生成するタイミング同期手段と、前記タイミング同期手段により生成された前記スタートフラグに従って、前記受信手段に受信された前記OFDM信号から有効シンボル期間分の前記演算範囲を切り出し、切り出された前記演算範囲のOFDM信号に対して、前記位相補正量に基づいてデータ順序を並び替える処理またはその処理と等価な処理を施して、その後フーリエ変換を施すフーリエ変換手段とを備える。
【００１１】
前記フーリエ変換手段は、前記データ順序を並び替える処理またはその処理と等価な処理として、前記基準演算範囲の開始位置に対して前記ずれが前方向である場合、前記スタートフラグに従って切り出された前記演算範囲の先頭位置から後方に前記位相補正量分だけ、前記フーリエ変換の開始位置をずらす処理またはその処理と等価な処理を実行し、前記基準演算範囲の開始位置に対して前記ずれが後方向である場合、前記スタートフラグに従って切り出された前記演算範囲の先頭位置から前方に前記位相補正量分だけ、前記フーリエ変換の開始位置をずらす処理またはその処理と等価な処理を実行する。
【００１２】
前記タイミング同期手段は、さらに、前記受信手段に受信された前記OFDM信号を構成する複数の前記伝送シンボルのうち所定の１つを基準シンボルとし、前記基準シンボルのうち前記有効シンボル期間分の任意の範囲を、前記基準演算範囲として設定する。
【００１３】
前記フーリエ変換手段は、少なくとも有効シンボル分のOFDM信号が記憶可能なメモリを有し、前記スタートフラグに従って切り出された前記演算範囲のOFDM信号を前記メモリに記憶させ、前記データ順序を並び替える処理またはその処理と等価な処理として、前記位相補正量に基づいて前記メモリの読み出しアドレスを生成し、前記アドレスに従って前記メモリから前記OFDM信号を読み出してフーリエ変換を施す。
【００１４】
前記フーリエ変換手段は、前記メモリに記憶された前記演算範囲のOFDM信号について、その演算範囲の先頭位置のアドレス値に対して前記位相補正量分のオフセットを加えて、有効シンボル期間で値の範囲を調整したオフセットアドレスを、前記読み出しアドレスとして生成する。
【００１５】
本発明の一側面の情報処理方法およびプログラムは、上述した本発明の一側面の情報処理装置に対応する方法およびプログラムである。本発明の一側面の表示装置は、上述した本発明の一側面の情報処理装置に対して、前記フーリエ変換手段によりフーリエ変換が施された前記OFDM信号に対応する映像を表示する表示手段をさらに備える。
【００１６】
本発明の一側面の情報処理装置および方法、表示装置、並びにプログラムにおいては、所定の帯域内の各周波数成分に情報が分割されることにより生成された有効シンボルと、前記有効シンボルの一部の信号波形が複写されることによって生成されたガードインターバルとが含まれた伝送シンボルを伝送単位とする直交周波数分割多重（OFDM：Orthogonal Frequency Division Multiplexing）信号が受信され、受信された前記OFDM信号における１つの前記伝送シンボルから、有効シンボル期間分の演算範囲を切り出すタイミングを示すスタートフラグが生成され、前記スタートフラグにより切り出される前記演算範囲についての基準演算範囲からのずれを示す位相補正量が生成され、生成された前記スタートフラグに従って、受信された前記OFDM信号から有効シンボル期間分の前記演算範囲が切り出され、切り出された前記演算範囲のOFDM信号に対して、前記位相補正量に基づいてデータ順序を並び替える処理またはその処理と等価な処理が施されて、その後フーリエ変換が施される。さらに、本発明の一側面の表示装置においては、フーリエ変換が施された前記OFDM信号に対応する映像が表示される。
【発明の効果】
【００１７】
以上のごとく、本発明によれば、特に、OFDM受信装置の回路規模の縮小を図ることができるようにするものである。
【発明を実施するための最良の形態】
【００１８】
［従来の説明］
初めに、本発明の理解を容易なものとすべく、図１乃至図３を参照して、［発明が解決しようとする課題］で説明した内容の発生要因等について説明する。
【００１９】
図１は、OFDM方式による送信信号の構成例を示している。
【００２０】
図１に示されるように、OFDM方式による送信信号は、OFDMシンボルと称されるシンボル単位で伝送される。OFDMシンボルは、送信時にIFFTが行なわれる信号期間である有効シンボルと、この有効シンボルの後半の一部の波形がそのままコピーされたガードインターバルとから構成されている。
【００２１】
図２は、OFDM方式による送信信号に対するDFT演算範囲の一例を示している。
【００２２】
図２に示されるように、以下、OFDMのガードインターバル長を表す記号としてNgを採用し、OFDMの有効シンボル長を表す記号としてNuを採用することにする。また、OFDM信号に対するDFT演算の開始位置のずれを表す記号として、Lを採用することにする。
【００２３】
L=０のときのDFT演算結果、即ち、DFT演算範囲（有効シンボル長）が有効シンボルに一致していたときのDFT演算結果を、X[k]（k = 0 , 1 , ・・・ , Nu）と記述することにする。この場合、X[k]は次の式（１）で示される。なお、式（２）の関係が成立しているとする。
【００２４】
【数１】
2010087748.tif 000003
・・・（１）
【００２５】
【数２】
2010087748.tif 000004
・・・（２）
【００２６】
また、Ｌ＝ｌのときのDFT演算結果を、X’[k]（k = 0 , 1 , ・・・ , Nu）と記述することにする。この場合、X’[k]は次の式（３）で示される。なお、式（２）の関係が成立しているとする。
【００２７】
【数３】
2010087748.tif 000005
・・・（３）
【００２８】
式（１）と式（３）から、L=ｌのときのDFT演算結果X’[k]は、次の式（４）で示されることになる。
【００２９】
【数４】
2010087748.tif 000006
・・・（４）
【００３０】
式（４）の結果から、次のことがわかる。即ち、DFT演算の開始位置がｌだけずれると、位相は、ＷNuklだけ回転する。さらに、DFT演算の開始位置のずれがｌからｌ’に変化すると、位相は、ＷNuk(l-l')だけ回転する。
【００３１】
このため、従来では、図３に示されるように、この位相のずれを補正すべく、DFT後に回転器が設けられていた。
【００３２】
図３は、従来のOFDM受信装置のうち、DFT演算を行う部分の周辺の構成例を示している。
【００３３】
図３に示されるように、従来のOFDM受信装置には、DFT(FFT)演算部１１、タイミング同期部１２、および、位相補正部（回転部）１３が設けられていた。
【００３４】
即ち、位相を補正する手法（以下、位相補正手法と称する）として、従来、位相補正部１３のような回転器を必要とする手法が採用されていた。
【００３５】
[本発明の手法]
【００３６】
そこで、本発明人は、位相補正部１３のような回転器を必要とせずに、位相補正手法（以下、本発明の位相補正手法と称する）を発明した。
【００３７】
図４は、本発明の位相補正手法の概略を説明する図である。
【００３８】
図４において、OFDMシンボルの下方の図４のＡには、基準となる１回目のDFT演算範囲が示され、図４のＢには、位相補正を行わない場合の２回目のDFT演算範囲が示されている。
【００３９】
図４のＢの２回目のDFT演算範囲は、図４のＡの１回目のDFT演算範囲に対してずれｌが生じている。
【００４０】
そこで、本発明の位相補正手法では、図４のＣに示されるように、２回目のDFT演算範囲に属するOFDMシンボルのうち、ずれｌの部分のデータDlが、２回目のDFT演算範囲の最後尾に移動された後、DFT演算が行われる。即ち、図４のＤに示されるデータの範囲が、位相補正を行った２回目のDFT演算範囲となる。なお、図４の例では、ずれｌは、１回目のDFT演算範囲の開始位置に対して前方向である例である。しかしながら、ずれｌは、１回目のDFT演算範囲の開始位置に対して後方向である場合もある。このような場合の取り扱いについては、図７のＢ等を用いて後述する。
【００４１】
［本発明が適用されるOFDM受信装置の構成例］
【００４２】
図５は、本発明が適用される情報処理装置の実施形態としてのOFDM受信装置の構成例を示している。
【００４３】
OFDM受信装置１００は、アンテナ１０１、チューナ１０２、バンドパスフィルタ（ＢＰＦ）１０３、Ａ／Ｄ変換部１０４、直交復調部１０５、DFT（FFT）演算部１０６、伝送路歪み補正部１０７、誤り訂正部１０８、および表示部１０９を含むように構成されている。
【００４４】
［本発明が適用されるOFDM受信装置の動作例］
【００４５】
以下、OFDM受信装置１００の動作例について説明する。
【００４６】
放送局から放送された放送波は、OFDM受信装置１００のアンテナ１０１に受信され、ＲＦ信号としてチューナ１０２に供給される。
【００４７】
チューナ１０２は、乗算部１０２ａと局部発振部１０２ｂからなる。チューナ１０２は、アンテナ１０１より受信されたRF信号をIF信号に周波数変換する。
【００４８】
チューナ１０２により得られたIF信号は、バンドパスフィルタ１０３によりフィルタリングされた後、Ａ／Ｄ変換部１０４によりデジタル化され、直交復調部１０５に供給される。
【００４９】
直交復調部１０５は、所定の周波数（搬送波周波数）のキャリア信号を用いて、デジタル化されたＩＦ信号を直交復調し、ベースバンドのOFDM信号を出力する。
【００５０】
直交復調部１０５から出力されるベースバンドのOFDM信号は、DFT演算される前のいわゆるOFDM時間領域信号である。このOFDM時間領域信号は、直交復調された結果、実軸成分（Ｉチャンネル信号）と虚軸（Ｑチャンネル信号）とを含んだ複素信号となる。
【００５１】
DFT演算部１０６は、タイミング同期部１１０から供給されるスタートフラグと位相補正量を用いて、OFDM時間領域信号からDFTを行なうための信号区間を抽出し、DFT演算を行なう。その結果、各サブキャリア毎に送信されているデータが抽出されてDFT演算部１０６から出力される。DFT演算部１０６から出力される信号は、DFTされた後のいわゆる周波数領域の信号である。このことから、以下、DFT演算後の信号をOFDM周波数領域信号と称する。OFDM周波数領域信号は伝送路歪み補正部１０７に提供される。
【００５２】
伝送路歪み補正部１０７は、OFDM周波数領域信号が伝送路で受けた振幅と位相の歪みを、推定された伝送路特性に基づいて補正し、等化信号として誤り訂正部１０８に供給する。
【００５３】
誤り訂正部１０８は、送信側でインターリーブされている信号に対してデインターリーブ処理を施す。デパンクチャ、ビタビ復号、拡散信号除去、ＲＳ復号を通して、復号データが誤り訂正部１０８から出力される。
【００５４】
表示部１０９は、誤り訂正部１０８から出力された復号データに対応する映像を表示する。
【００５５】
図６と図７は、タイミング同期部１１０と、DFT演算部１０６との動作の詳細例を説明する図である。
【００５６】
図６において、OFDMシンボルの下方の図６のＡには、基準シンボルのDFT演算範囲が示されている。即ち、タイミング同期部１１０は、所定のOFDMシンボルを基準シンボルとして定めて、そのDFT演算範囲を基準範囲とする。タイミング同期部１１０は、他のOFDMシンボルがDFT演算の対象となる場合（以下、DFT演算の対象となるOFDMシンボルを、対象シンボルと称する）、対象シンボルのDFT演算範囲の基準範囲からのずれｌを、位相補正量として検出する。タイミング同期部１１０は、対象シンボルの位相補正量をDFT演算部１０６に供給する。
【００５７】
タイミング同期部１１０は、対象シンボルのDFT演算範囲の開始位置を示すスタートフラグを生成し、DFT演算部１０６に供給する。
【００５８】
具体的には例えば、図６のＢのシンボルαが対象シンボルの場合、位相補正量lαと、スタートシンボルSFαとが、DFT演算部１０６に供給される。この場合、図７のＡに示されるように、DFT演算部１０６は、対象シンボルのDFT演算範囲の先頭位置（スタートフラグSFαの位置）から後方に配置される位相補正量lα分のデータを、移動対象のデータDlαとして決定する。DFT演算部１０６は、データDlαを、対象シンボルのDFT演算範囲の後方に移動した後、DFT演算を行う。換言すると、DFT演算部１０６は、対象シンボルのDFT演算範囲の先頭位置（スタートフラグSFαの位置）から後方に位相補正量lα分だけDFT開始位置をずらして、DFT演算を行う。
【００５９】
また例えば、図６のＣのシンボルβが対象シンボルの場合、位相補正量lβと、スタートシンボルSFβとが、DFT演算部１０６に供給される。この場合、図７のＢに示されるように、DFT演算部１０６は、対象シンボルのDFT演算範囲の最後尾から前方に配置される位相補正量lβ分のデータを、移動対象のデータDlβとして決定する。DFT演算部１０６は、データDlβを、対象シンボルのDFT演算範囲（スタートフラグSFβの位置）の前方に移動した後、スタートシンボルSFβに従ってDFT演算を行う。換言すると、DFT演算部１０６は、対象シンボルのDFT演算範囲の先頭位置（スタートフラグSFαの位置）から前方に位相補正量lα分だけDFT開始位置をずらして、DFT演算を行う。
【００６０】
図８は、以上のOFDM受信装置の動作の例をOFDM復調処理としてフローチャート化したものである。
【００６１】
ステップＳ１において、チューナ１０２は、受信アンテナ１０１において受信されたRF信号をIF信号に周波数変換し、IF信号をBPF１０３を介してA/D変換部１０４に出力する。
【００６２】
ステップＳ２において、A/D変換部１０４は、IF信号に対してA/D変換を施し、デジタルのIF信号を直交復調部１０５に出力する。
【００６３】
ステップＳ３において、直交復調部１０５は、デジタル化されたＩＦ信号を直交復調し、その結果得られるOFDM時間領域信号を、DFT演算部１０６とタイミング同期部１１０に出力する。
【００６４】
ステップＳ４において、DFT演算部１０６は、タイミング同期部１１０からのスタートフラグと位相補正量とを用いて、DFT演算処理を行う。DFT演算処理を行うことによって得られたOFDM周波数領域信号は伝送路歪み補正部１０７に出力される。FFT演算処理の詳細については図９のフローチャートを参照して後述する。
【００６５】
ステップＳ５において、伝送路歪み補正部１０７は、OFDM周波数領域信号に対して伝送路の歪みを補正し、等化信号として誤り訂正部１０８に供給する。
【００６６】
ステップＳ６において、誤り訂正部１０８は、送信側でインターリーブされている信号に対してデインターリーブ処理を施す。その結果、誤り訂正部１０８から復号データが出力され、その復号データに対応する映像が表示部１０９に表示される。
【００６７】
図９は、図８のステップＳ４のDFT演算処理の詳細例を説明するフローチャートである。
【００６８】
ステップＳ２１において、タイミング同期部１１０は、１回目のDFT演算であるか否かを判定する。
【００６９】
１回目のDFT演算である場合、ステップＳ２１においてＹＥＳであると判定されて、処理はステップＳ２２に進む。ステップＳ２２において、タイミング同期部１１０は、対象シンボルを基準シンボルに設定する。ステップＳ２３において、タイミング同期部１１０は、位相補正量を０とする。
【００７０】
これに対して、２回目以降のDFT演算である場合、ステップＳ２１においてＮＯであると判定されて、処理はステップＳ２４に進む。ステップＳ２４において、タイミング同期部１１０は、対象シンボルの位相補正量を検出する。
【００７１】
ステップＳ２５において、タイミング同期部１１０は、対象シンボルのDFT演算の開始位置を示すスタートフラグを生成する。
【００７２】
ステップＳ２６において、タイミング同期部１１０は、スタートフラグと位相補正量とをDFT演算部１０６に出力する。
【００７３】
ステップＳ２７において、DFT演算部１０６は、基準シンボルのDFT演算範囲の先頭位置に対して、ずれは前方向にあるか否かを判定する。
【００７４】
例えば、上述した図６のＢのシンボルαが対象シンボルの場合、ステップＳ２７においてＹＥＳであると判定されて、処理はステップＳ２８に進む。ステップＳ２８において、DFT演算部１０６は、対象シンボルのDFT演算範囲の先頭位置（スタートフラグの位置）から後方に位相補正量分だけ、DFT演算の開始位置をずらす。例えば、上述した図６のＢのシンボルαが対象シンボルの場合、図７のＡに示されるように、対象シンボルのDFT演算範囲の先頭位置（スタートフラグSFαの位置）から後方に位相補正量ｌα分だけ、DFT演算の開始位置がずれる。
【００７５】
これに対して、例えば、上述した図６のＣのシンボルβが対象シンボルの場合、ステップＳ２７においてＮＯであると判定されて、処理はステップＳ２９に進む。ステップＳ２９において、DFT演算部１０６は、対象シンボルのDFT演算範囲の先頭位置（スタートフラグの位置）から前方に位相補正量分だけ、DFT演算の開始位置をずらす。例えば、上述した図６のＣのシンボルβが対象シンボルの場合、図７のＢに示されるように、対象シンボルのDFT演算範囲の先頭位置（スタートフラグSFβの位置）から前方に位相補正量ｌβ分だけ、DFT演算の開始位置がずれる。
【００７６】
ステップＳ３０において、DFT演算部１０６は、ステップＳ２８またはＳ２９の処理でずらされたDFT演算の開始位置から、対象シンボルのDFT演算範囲のDFT演算を行う。
【００７７】
なお、DFT演算処理は、図９の例に特に限定されない。例えば、DFT演算部１０６が、入力（被DFTデータ）をメモリに一旦記憶することができるとする。なお、入力をメモリに一旦記憶すること自体は従来から行われていることである。即ち、入力をメモリに一旦記憶すること自体で回路規模が増大するわけではない点留意する。
【００７８】
具体的には例えば、図１０に示されるように、少なくとも有効シンボル長分を記憶可能なメモリがDFT演算部１０６に設けられているとする。この場合、対象シンボルの元々のDFT演算範囲のデータがメモリに一旦格納される。そこで、DFT演算部１０６は、位相補正量に基づいてメモリの読み出しアドレスを生成することで、そのアドレスに従ってメモリからOFDM信号を読み出してDFT変換を施すことができる。
【００７９】
即ち、DFT演算部１０６は、位相補正量分だけメモリの読み出し位置をずらしてDFT演算することで、上述のステップＳ２８またはＳ２９の処理と等価な処理を実現できる。
【００８０】
具体的には例えば、DFT演算部１０６は、メモリの読み出し位置に位相補正量分だけのオフセットを与えてDFT演算する。即ち、DFT演算部１０６は、メモリに記憶された元々のDFT演算範囲のOFDM信号について、その元々のDFT演算範囲の先頭位置のアドレス値に対して位相補正量分のオフセットを加えて、有効シンボル期間で値の範囲を調整したオフセットアドレスを生成する。DFT演算部１０６は、そのオフセットアドレスに従ってメモリからOFDM信号を読み出してDFT演算を施す。これにより、対象シンボルの先頭位置（先頭フラグSFの位置）から位相補正量ｌ分だけDFT演算の開始位置をずらしてDFT演算することと等価な処理を実現できる。
【００８１】
ところで、上述した一連の処理は、ハードウエアにより実行させることもできるが、ソフトウエアにより実行させることができる。
【００８２】
この場合、本発明が適用される情報処理装置の少なくとも一部として、例えば、図１１に示されるパーソナルコンピュータを採用してもよい。
【００８３】
図１１において、CPU（Central Processing Unit）２０１は、ROM（Read Only Memory）２０２に記録されているプログラム、または記憶部２０８からRAM（Random Access Memory）２０３にロードされたプログラムに従って各種の処理を実行する。RAM２０３にはまた、CPU２０１が各種の処理を実行する上において必要なデータなども適宜記憶される。
【００８４】
CPU２０１、ROM２０２、およびRAM２０３は、バス２０４を介して相互に接続されている。このバス２０４にはまた、入出力インタフェース２０５も接続されている。
【００８５】
入出力インタフェース２０５には、キーボード、マウスなどよりなる入力部２０６、ディスプレイなどよりなる出力部２０７、ハードディスクなどより構成される記憶部２０８、および、モデム、ターミナルアダプタなどより構成される通信部２０９が接続されている。通信部２０９は、インターネットを含むネットワークを介して他の装置（図示せず）との間で行う通信を制御する。
【００８６】
入出力インタフェース２０５にはまた、必要に応じてドライブ２１０が接続され、磁気ディスク、光ディスク、光磁気ディスク、或いは半導体メモリなどよりなるリムーバブルメディア２１１が適宜装着され、それらから読み出されたコンピュータプログラムが、必要に応じて記憶部２０８にインストールされる。
【００８７】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【００８８】
このようなプログラムを含む記録媒体は、図１１に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア（パッケージメディア）２１１により構成されるだけでなく、装置本体に予め組み込まれた状態でユーザに提供される、プログラムが記録されているROM２０２や、記憶部２０８に含まれるハードディスクなどで構成される。
【００８９】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００９０】
また、本発明は、図５の表示部１０９を含むOFDM受信装置１００等に適用できたように、表示装置に適用可能である。かかる表示装置は、様々な電子機器に入力された、若しくは、様々な電子機器内で生成した映像信号を画像若しくは映像として表示するディスプレイに適用することが可能である。ここで、様々な電子機器としては、例えば、デジタルスチルカメラやデジタルビデオカメラ、ノート型パーソナルコンピュータ、携帯電話、テレビジョン受像機などが存在する。以下この様な表示装置が適用された電子機器の例を示す。
【００９１】
例えば、本発明は、電子機器の一例であるテレビジョン受像機に適用できる。このテレビジョン受像機は、フロントパネル、フィルターガラス等から構成される映像表示画面を含み、本発明の表示装置をその映像表示画面に用いることにより作製される。
【００９２】
例えば、本発明は、電子機器の一例であるノート型パーソナルコンピュータに適用できる。このノート型パーソナルコンピュータにおいて、その本体には文字等を入力するとき操作されるキーボードを含み、その本体カバーには画像を表示する表示部を含む。このノート型パーソナルコンピュータは、本発明の表示装置をその表示部に用いることにより作製される。
【００９３】
例えば、本発明は、電子機器の一例である携帯端末装置に適用できる。この携帯端末装置は、上部筺体と下部筺体とを有している。この携帯端末装置の状態としては、それらの２つの筺体が開いた状態と、閉じた状態とが存在する。この携帯端末装置は、上述した上側筐体と下側筐体との他、連結部（ここではヒンジ部）、ディスプレイ、サブディスプレイ、ピクチャーライト、カメラ等を含み、本発明の表示装置をそのディスプレイやサブディスプレイに用いることにより作製される。
【００９４】
例えば、本発明は、電子機器の一例であるデジタルビデオカメラに適用可能である。デジタルビデオカメラは、本体部、前方を向いた側面に被写体撮影用のレンズ、撮影時のスタート／ストップスイッチ、モニター等を含み、本発明の表示装置をそのモニターに用いることにより作製される。
【００９５】
なお、本発明の実施の形態は、上述した実施の形態に限定されるものではなく、本発明の要旨を逸脱しない範囲において種々の変更が可能である。
【図面の簡単な説明】
【００９６】
【図１】OFDM信号の伝送シンボルについて説明する図である。
【図２】OFDM方式による送信信号に対するDFT演算範囲の一例を示す図である。
【図３】従来のOFDM受信装置の一部の構成例を示すブロック図である。
【図４】本発明の位相補正手法の概略を説明する図である。
【図５】本発明が適用される情報処理装置の実施形態としてのOFDM受信装置の構成例を示すブロック図である。
【図６】図５のOFDM受信装置のタイミング同期部とDFT演算部との動作の詳細例を説明する図である。
【図７】図５のOFDM受信装置のタイミング同期部とDFT演算部との動作の詳細例を説明する図である。
【図８】図５のOFDM受信装置が実行するOFDM復調処理の一例を説明するフローチャートである。
【図９】図８のOFDM復調処理のDFT演算処理の詳細例を説明するフローチャートである。
【図１０】本発明の位相補正手法の別の例の概略を説明する図である。
【図１１】本発明が適用されるプログラムを実行するコンピュータの構成例を示すブロック図である。
【符号の説明】
【００９７】
１０１  アンテナ，  １０２  チューナ，  １０３  バンドパスフィルタ，  １０４  A/D変換部，  １０５  直交復調部，  １０６  DFT演算部，  １０７  伝送路歪み補正部，  １０８  誤り訂正部，  １０９  表示部，  １１０  タイミング同期部  ２０１  CPU，  ２０２  ROM，  ２０３  RAM，  ２０８  記憶部，  ２１１  リムーバブルメディア
【図１】
2010087748.tif 000007
【図２】
2010087748.tif 000008
【図３】
2010087748.tif 000009
【図４】
2010087748.tif 000010
【図５】
2010087748.tif 000011
【図６】
2010087748.tif 000012
【図７】
2010087748.tif 000013
【図８】
2010087748.tif 000014
【図９】
2010087748.tif 000015
【図１０】
2010087748.tif 000016
【図１１】
2010087748.tif 000017